(57)【要約】【課題】物品をバッファするための機器、及びこの機器を組み込む構造を必要とせずに、次段への物品の途切れを抑制し、物品の搬送量を一定にして送出することができる物品送り出し装置、及び物品送り出し方法を提供すること。【解決手段】搬送機２により、進行方向に沿った高さの変化が少なくとも１つの極小点を有するように形成された搬送路を有し、所定の供給速度でこの搬送路に供給された物品を所定の搬送速度で送出し、制御部３により、極小点近傍に滞留する物品が所定量になるように供給速度を制御し、搬送路上極小点の下流側の所定の箇所を通過する物品が所定量になるように搬送速度を制御する。【選択図】      図１
2016175037.tif 000002
【特許請求の範囲】
【請求項１】
進行方向に沿った高さの変化が少なくとも１つの極小点を有するように形成された搬送路を有し、所定の供給速度でこの搬送路に供給された物品を所定の搬送速度で送出する搬送機と、
前記極小点近傍に滞留する前記物品が所定量になるように前記供給速度を制御し、前記搬送路上前記極小点の下流側の所定の箇所を通過する前記物品が所定量になるように前記搬送速度を制御する制御部と、
を備えたことを特徴とする物品送り出し装置。
【請求項２】
前記搬送機は、上流側から下流側へ搬送方向が高くなる所定の傾斜を有し、最上流の端部に前記極小点を有し、所定の供給速度で供給された所定の大きさの物品から選別した所定の厚さの前記物品の送出を前段の装置から受け、この物品を前記傾斜により上流側にすべらせて前記極小点の近傍を示す前記搬送機の上流側に溜めつつ、前記物品を所定の搬送速度で前記次段の装置へ送出し、
前記制御部は、前記搬送機上に溜めた前記物品が所定の溜り量になるように前記物品を供給する前記供給速度を制御し、前記搬送機の前記次段の装置への流出口での前記物品の量が所定の量になるように前記搬送機の前記搬送速度を制御する、
ことを特徴とする請求項１記載の物品送り出し装置。
【請求項３】
前記搬送機は、搬送面に所定の間隔でゴムグリップを備え、前記搬送面にある前記物品をこのグリップに引っ掛けて下流側に搬送し、上流側の端部に前記物品用のストッパを有し、前記物品に重なった上側の物品が前記傾斜により上流側にすべり込んで溜まる前記ストッパから下流側へ向かったバッファ部を形成する、
ことを特徴とする請求項２記載の物品送り出し装置。
【請求項４】
前記物品に重なった上側の前記物品は、前記バッファ部での前記物品の溜まり具合により上流側にすべり込まない場合に、この物品の下側の物品に引きずられて下流側に搬送される、
ことを特徴とする請求項３記載の物品送り出し装置。
【請求項５】
前記バッファ部の所定の上空に地面と水平に前記物品の搬送方向に所定の間隔を設けて設置され、前記物品の遮りをそれぞれ検出する複数の光電センサを更に設け、
前記制御部は、前記複数の光電センサのオン／オフ情報に基づき、前記所定の溜り量になるように前記供給速度を制御する、
ことを特徴とする請求項３又は４記載の物品送り出し装置。
【請求項６】
前記搬送機の前記物品の前記次段の装置への流出口の上空に、前記物品の搬送方向と直交する方向に所定の間隔を設けて設置され、物品からの距離をそれぞれ検出する複数の距離センサを更に設け、
前記制御部は、前記複数の距離センサの距離情報に基づき、前記物品の量が前記所定の量になるように前記搬送速度を制御する、
ことを特徴とする請求項３、４又は５記載の物品送り出し装置。
【請求項７】
前記制御部は、前記供給速度、前記搬送速度を通常使用する最高速を示す定速と、定速よりも遅い複数の速度に変化させる、
ことを特徴とする請求項１から６のいずれか一項に記載の物品送り出し装置。
【請求項８】
前記搬送速度が、前記搬送路上隣接する２つの前記極小点の間の区間ごとに設定され、隣接する２つの極小点のうち搬送路上、より下流側のものの近傍に滞留する前記物品が所定量になるように当該区間の前記搬送速度が制御され、
前記供給速度は、前記極小点のうち搬送路上最も上流のものの近傍に滞留する前記物品が所定量になるように制御されることを特徴とする請求項１記載の物品送り出し装置。
【請求項９】
前記搬送機は、
上流側から下流側へ搬送方向が高くなる所定の傾斜を有し、最上流の端部に第１の極小点を有し、所定の供給速度で供給された所定の大きさの物品から選別した所定の厚さの前記物品の送出を前記前段の装置から受け、この物品を前記傾斜により上流側にすべらせて前記第１の極小点の近傍を示す自身の搬送機の上流側に溜めつつ、前記物品を所定の速度（第１の搬送速度）で送出する第１の搬送機と、
上流側から下流側へ搬送方向が高くなる所定の傾斜を有し、最上流の端部に第２の極小点を有し、前記第１の搬送機から送出された前記物品を受け、この物品を前記傾斜により上流側にすべらせて前記第２の極小点の近傍を示す自身の搬送機の上流側に溜めつつ、前記次段の装置へ所定の速度（第２の搬送速度）で送出する第２の搬送機と、を有し、
前記制御部は、前記第１の搬送機上に溜められた前記物品が所定の溜り量になるように前記物品を供給する前記供給速度を制御し、
前記第２の搬送機上に溜められた前記物品が所定の溜り量になるように前記第１の搬送機の前記第１の搬送速度を制御し、
前記第２の搬送機の前記次段の装置への流出口での前記物品の量が所定の量になるように前記第２の搬送機の前記第２の搬送速度を制御する、
ことを特徴とする請求項８記載の物品送り出し装置。
【請求項１０】
進行方向に沿った高さの変化が少なくとも１つの極小点を有するように形成された搬送路を有する搬送機により、所定の供給速度でこの搬送路に供給された物品を所定の搬送速度で送出し、
制御部により、前記極小点近傍に滞留する前記物品が所定量になるように前記供給速度を制御し、前記搬送路上前記極小点の下流側の所定の箇所を通過する前記物品が所定量になるように前記搬送速度を制御する、
ことを特徴とする物品送り出し方法。
【発明の詳細な説明】
【技術分野】
【０００１】
本発明は、物品送り出し装置、及び物品送り出し方法に関し、物品をバッファするための機器を必要とせずに、次段への物品の途切れを抑制し、物品の搬送量を一定にして送出することができる物品送り出し装置、及び物品送り出し方法に関する。
【背景技術】
【０００２】
近年、郵便機械の高速化が進む中、郵便物自動選別取りそろえ押印機においては、処理する対象郵便物が多種多様であること、常に一定量の郵便物を幅選別機に送りこむことが難しい等により、実処理速度が十分には向上していないという問題がある。
【０００３】
郵便物を途切れることなく送り出すことにより処理速度を向上させるようにした技術が特許文献１に開示されている。特許文献１に開示の郵便物自動送り出し装置は、供給されてくる郵便物を一通ずつ送り出す一通送り出し部を有してなる装置である。供給されてくる郵便物を搬送する搬送経路と、搬送経路の一通送り出し部よりも上流側に設けられ、搬送経路上を搬送されてくる郵便物を一時蓄積して排出する複数のバッファ部とを有する。
【０００４】
複数のバッファ部は、当該バッファ部に蓄積された郵便物の量を検知する検知手段を有し、当該バッファ部よりも郵便物の搬送方向下流側のバッファ部の検知手段にて検知された郵便物の量が一定となるように、当該バッファ部に蓄積された郵便物を排出する。この搬送経路は、バッファ部（バッファデバイス）に配置される量検知スイッチにより、バッファデバイスに蓄積された郵便物の量を検知し、郵便物の排出速度を加減速させる。これにより、郵便物を途切れることなく一定の間隔で送り出すことにより処理速度を向上させることを可能としている。
【先行技術文献】
【特許文献】
【０００５】
【特許文献１】特開２０１１−５０８６４号公報
【発明の概要】
【発明が解決しようとする課題】
【０００６】
上述した特許文献１に開示の郵便物自動送り出し装置は、搬送経路上を搬送されてくる郵便物を一時蓄積して排出する複数のバッファデバイスを有する。そして、このバッファデバイスに配置される量検知スイッチにより郵便物の量を検知しこれに基づき郵便物の排出速度を加減速させる。このため、搬送経路に、バッファデバイスといった郵便物をバッファするための機器、及びこの機器を組み込む構造が必要であるといった問題がある。
【０００７】
本発明の目的は、上記課題を解決して、物品をバッファするための機器、及びこの機器を組み込む構造を必要とせずに、次段への物品の途切れを抑制し、物品の搬送量を一定にして送出することができる物品送り出し装置、及び物品送り出し方法を提供することである。
【課題を解決するための手段】
【０００８】
本発明の物品送り出し装置は、進行方向に沿った高さの変化が少なくとも１つの極小点を有するように形成された搬送路を有し、所定の供給速度でこの搬送路に供給された物品を所定の搬送速度で送出する搬送機と、前記極小点近傍に滞留する前記物品が所定量になるように前記供給速度を制御し、前記搬送路上前記極小点の下流側の所定の箇所を通過する前記物品が所定量になるように前記搬送速度を制御する制御部と、を備えている。
【０００９】
本発明の物品送り出し方法は、進行方向に沿った高さの変化が少なくとも１つの極小点を有するように形成された搬送路を有する搬送機により、所定の供給速度でこの搬送路に供給された物品を所定の搬送速度で送出し、制御部により、前記極小点近傍に滞留する前記物品が所定量になるように前記供給速度を制御し、前記搬送路上前記極小点の下流側の所定の箇所を通過する前記物品が所定量になるように前記搬送速度を制御する。
【発明の効果】
【００１０】
本発明によれば、物品をバッファするための機器、及びこの機器を組み込む構造を必要とせずに、次段への物品の途切れを抑制し、物品の搬送量を一定にして送出することができる。
【図面の簡単な説明】
【００１１】
【図１】本発明の第１の実施の形態に係る物品送り出し装置の一例を示す図である。
【図２】本発明の第２の実施の形態に係る物品送り出し装置の一例を示す図である。
【図３】本発明の第３の実施の形態に係る物品送り出し装置の一例を示す図である。
【図４】本発明の第３の実施の形態に係る物品送り出し装置の動作の一例を示すフローチャートである。
【図５】光電センサのオン／オフ情報に供給用コンベアの供給速度を対応させた図である。
【図６】距離センサの距離情報に応じた“重み”を指定する図である。
【図７】距離センサの距離情報から求めた“総合重み”に搬送機の搬送速度を対応させた図である。
【図８】本発明の第４の実施の形態に係る物品送り出し装置の一例を示す図である。
【図９】本発明の第４の実施の形態に係る物品送り出し装置の動作の一例を示すフローチャートである。
【図１０】光電センサのオン／オフ情報に第１の搬送機の第１の搬送速度を対応させた図である。
【発明を実施するための形態】
【００１２】
次に、本発明の実施の形態について図面を参照して説明する。
（第１の実施の形態）
図１は、本発明の第１の実施の形態に係る物品送り出し装置の一例を示す図である。
【００１３】
この図は、物品送り出し装置１の斜視図である。
【００１４】
本実施の形態に係る物品送り出し装置１は、搬送機２と、制御部３とにより構成される。搬送機は、進行方向に沿った高さの変化が少なくとも１つの極小点を有するように形成された搬送路を有し、供給された物品を搬送し所定の搬送速度で送出する。制御部は、極小点近傍に滞留する物品が所定量になるように供給速度を制御し、搬送路上極小点の下流側の所定の箇所を通過する物品が所定量になるように搬送速度を制御する。
【００１５】
物品が、搬送機の搬送路上に所定の供給速度で供給されると、搬送機は、この物品を搬送し所定の搬送速度で送出する。
【００１６】
制御部は、搬送路上の極小点近傍に滞留する物品が所定量になるように供給速度を制御する。また、制御部は、搬送路上極小点の下流側の所定の箇所を通過する物品が所定量になるように搬送速度を制御する。
【００１７】
このように、本発明の第１の実施の形態によれば、搬送路上の極小点近傍に滞留する物品が所定量になるように、物品の供給速度を制御する。また、搬送路上極小点の下流側の所定の箇所を通過する物品が所定量になるように搬送速度を制御する。このため、物品をバッファするための機器、及びこの機器を組み込む構造を必要とせずに、次段の装置への物品の途切れや、物品の搬送量を一定にして送出することができる。
（第２の実施の形態）
図２は、本発明の第２の実施の形態に係る物品送り出し装置の一例を示す図である。
【００１８】
本発明の第２の実施の形態は、第１の実施の形態を具体化したものである。主に第１の実施の形態と相違する部分について説明する。本実施の形態では、物品の一例として郵便物を用いて説明する。
【００１９】
本図２は、物品送り出し装置１の斜視図である。前段の装置４（厚さ選別部）の斜視図も示してある。
【００２０】
本実施の形態に係る物品送り出し装置１は、搬送機２と、制御部３とにより構成される。
【００２１】
物品送り出し装置１は、前段の装置４から厚さが選別された所定の大きさの郵便物を受け次段の装置へ送出する装置である。
【００２２】
搬送機２（例えばコンベア）は、上流側から下流側への搬送方向へ向けて高くなる所定の傾斜を有する。そして、所定の速度（供給速度）で供給された郵便物から選別した所定の厚さの郵便物の送出を前段の装置４から受ける。搬送機２は、この郵便物を傾斜により上流側にすべらせて極小点の近傍を示す搬送機２の上流側に溜めつつ、郵便物を所定の速度（搬送速度）で次段の装置へ送出する。
【００２３】
制御部３は、搬送機２上に溜めた郵便物が所定の溜り量になるように郵便物を供給する供給速度を制御する。また、搬送機２の次段の装置への流出口での郵便物の量が所定の量になるように搬送機２の搬送速度を制御する。
【００２４】
ここで、物品送り出し装置１の動作を説明する。
【００２５】
前段の装置４は、例えば厚さ選別部（ドラム）であり、所定の速度（供給速度）で供給された郵便物から所定の厚さの郵便物を選別して搬送機２に送出する。この厚さ選別部４は、ドラムの長さ方向の周囲面に所定の厚さに応じた幅のスリットがドラムの長さ方向に所定の間隔で複数設けられている。この厚さ選別部４は、所定の速度で回転しており、ドラムの円筒方向の側面（円状部分）から供給された郵便物がスリットを通過することにより、所定の厚さの郵便物を選別する。
【００２６】
搬送機２は、前段の装置４から厚さ選別された郵便物を受けて、この郵便物を傾斜により上流側にすべらせて搬送機２の上流側に溜めつつ、郵便物を所定の速度（搬送速度）で次段の装置（例えば、幅選別機）へ送出する。
【００２７】
制御部３は、搬送面上に溜めた郵便物が所定の溜り量になるように、前段の装置４に郵便物を供給する供給速度を制御する。前段の装置４への郵便物の供給は、例えばコンベアにより行われる。従って、コンベアの速度を制御する。
【００２８】
また、制御部３は、搬送機２の次段の装置への流出口での郵便物の量が所定の量（重なった郵便物の厚さが所定の厚さ）になるように搬送機２の搬送速度を制御する。
【００２９】
このように、本発明の第２の実施の形態によれば、供給された郵便物を搬送機の上流側に溜め、この溜めた郵便物が所定の溜り量になるように郵便物を供給する供給速度を制御する。また、搬送機の次段の装置への流出口での郵便物の量が所定の量になるように搬送機の搬送速度を制御する。このため、郵便物をバッファするための機器、及びこの機器を組み込む構造を必要とせずに、次段の装置への郵便物の途切れや、郵便物の過多の投入を抑制し、郵便物の搬送量を一定にして送出することができる。
【００３０】
本実施の形態では、物品の一例として郵便物を用いて説明した。しかし、この物品は、書籍、書類、文書を含め、所定の大きさを有し厚さ選別部により厚さが選別されるものであれば、郵便物に限らず何でもよい。
（第３の実施の形態）
図３は、本発明の第３の実施の形態に係る物品送り出し装置の一例を示す図である。
【００３１】
この図は、物品送り出し装置１の側面図である。前段の装置４（厚さ選別部）の側面図も示してある。
【００３２】
本発明の第３の実施の形態は、第２の実施の形態の物品送り出し装置１に、複数の光電センサ５、複数の距離センサ６を付加してより具体化したものである。主に第２の実施の形態と相違する部分について説明する。本実施の形態では、物品の一例として郵便物を用いて説明する。
【００３３】
本実施の形態に係る物品送り出し装置１は、搬送機２と、制御部３と、複数（３つ）の光電センサ５（ＬＢ１、ＬＢ２、ＬＢ３）と、複数（３つ）の距離センサ６（ＨＳ１、ＨＳ２、ＨＳ３）とにより構成される。
【００３４】
搬送機２は、上流側から下流側への搬送方向へ向けて高くなる所定の傾斜（例えば、水平から３０度）を有し、搬送面に所定の間隔でゴムグリップを備え、搬送面にある郵便物をこのグリップに、郵便物との摩擦により引っ掛けて下流側に搬送する。搬送機２の大きさは、例えば、長さ８５０ｍｍ、幅７００ｍｍであるが、この数値に限らず、適宜変更して使用してよい。
【００３５】
搬送機２は、上流側の端部に郵便物用のストッパ７を有し、郵便物に重なった上側の郵便物が搬送機２の傾斜により上流側にすべり込んで搬送機２の上流側に溜まる、極小点の近傍を示すストッパ７から下流側へ向かったバッファ部８を形成する。郵便物に重なった上側の郵便物は、バッファ部８での郵便物の溜まり具合により上流側にすべり込まない場合に、この郵便物の下側の郵便物に引きずられて下流側に搬送される。
【００３６】
複数の光電センサ５（遮光センサ）（ＬＢ１、ＬＢ２、ＬＢ３）は、バッファ部８の所定の上空に地面と水平に郵便物の搬送方向に所定の間隔を設けて設置され、郵便物の遮りをそれぞれ検出する。光電センサ５の光照射部が図３の紙面の表側から裏側に向かって照射し、照射した光が光照射部に対応する光電センサ５の光受光部に達しない場合、郵便物がこの光電センサ５を遮っているとする。各光電センサ５（ＬＢ１、ＬＢ２、ＬＢ３）は、搬送面からそれぞれ２２０〜２７０ｍｍの間、１５０〜２００ｍｍの間、９５〜１４５ｍｍの間の高さに設置される。各光電センサ５の間隔は１００ｍｍである。これらの数値は、実験等により適宜変更してよい。
【００３７】
複数の距離センサ６（ＨＳ１、ＨＳ２、ＨＳ３）は、搬送機２の郵便物の次段の装置への流出口の上空に、地面（搬送機の床等の設定面）と平行かつ郵便物の搬送方向と直交する方向に所定の間隔を設けて設置され、郵便物からの距離をそれぞれ検出する。各距離センサ６（ＨＳ１、ＨＳ２、ＨＳ３）は、搬送面から１８０ｍｍの高さに、搬送面の両サイドと中央にそれぞれ設定される。これらの数値は、実験等により適宜変更してよい。距離センサ６は、例えば、郵便物へ光を照射したときの時間と、郵便物からの反射光を受信したときの時間との差により、距離センサ６から郵便物までの距離（Ｌ２）を測定する。
【００３８】
制御部３は、複数の光電センサ５のオン／オフ情報に基づき、郵便物が所定の溜り量になるように供給速度を制御する。また、制御部３は、複数の距離センサ６の距離情報に基づき、郵便物の量が所定の量になるように搬送速度を制御する。制御部３は、供給速度、及び搬送速度を通常使用する最高速を示す定速と、定速よりも遅い複数の速度に変化させる。例えば、定速（最高速：３ｍ／秒）、中速（２ｍ／秒）、低速（１ｍ／秒）の３段階に変化させる。これらの数値は、実験等により適宜変更してよい。
【００３９】
次に、本実施の形態の物品送り出し装置１の動作を、図４、図５、図６、及び図７を使用して説明する。
【００４０】
図４は、本発明の第２の実施の形態に係る物品送り出し装置の動作の一例を示すフローチャートである。
【００４１】
図５は、光電センサ５（ＬＢ１、ＬＢ２、ＬＢ３）のオン／オフ情報に供給用コンベアの供給速度を対応させた図である。０（オフ）は、光電センサ５が遮光していない場合を示し、１（オン）は、光電センサ５が遮光している場合を示す。この図は、全てのセンサがオンの場合、Ｓ３：低速（例えば１ｍ／秒）、二つのセンサがオンの場合、Ｓ２：中速（例えば２ｍ／秒）、一つのセンサがオンまたは、全てのセンサがオフの場合、Ｓ１：定速（例えば３ｍ／秒）を選択することを示している。センサ情報に対応する速度の決め方は、これに限らず、次段の装置への、郵便物の途切れや郵便物の過多の投入が無く、郵便物の搬送量を一定にして送出できるような溜り量（所定の溜り量）になるように、実験等により適宜変更してよい。
【００４２】
図６は、距離センサ６（ＨＳ１、ＨＳ２、ＨＳ３）の距離情報に応じた“重み”を指定する図である。この図は、一つのセンサについての“重み”を指定する図である。搬送面からの郵便物の距離すなわち、重なった郵便物の厚さがＬｏｗ（例えば１０ｍｍ）以上である場合Ｌｏｗを１にし、Ｈｉｇｈ（例えば２０ｍｍ）以上である場合Ｈｉｇｈを１にする。そして、搬送面からの郵便物の距離がＬｏｗ未満の場合（すなわち、Ｈｉｇｈ、Ｌｏｗ共に０の場合）“重み”を０とし、Ｌｏｗ以上、Ｈｉｇｈ未満の場合（すなわち、Ｈｉｇｈが０、Ｌｏｗが１の場合）“重み”を１とする。そして、搬送面からの郵便物の距離がＨｉｇｈ以上の場合（すなわち、Ｈｉｇｈ、Ｌｏｗ共に１の場合）“重み”を３とすることを示している。そして、各センサでの“重み”の和を、“総合重み”（０から９）とする。
【００４３】
図７は、図６で距離センサ６（ＨＳ１、ＨＳ２、ＨＳ３）の距離情報から求めた“総合重み”に搬送機２の搬送速度を対応させた図である。この図は、“総合重み”が７から９の場合Ｓ３：低速、４から６の場合Ｓ２：中速、０から３の場合、Ｓ１：定速を選択することを示している。センサ情報に対応する速度の決め方は、これに限らず、次段の装置への、郵便物の途切れや郵便物の過多の投入が無く、郵便物の搬送量を一定にして送出できるような、郵便物の量（所定の量）にするように、実験等により適宜変更してよい。ここで、郵便物の量（所定の量）は、流出口での郵便物の量（重なった郵便物の厚さ）である。
【００４４】
図４のステップＳ１では、郵便物が、郵便物供給用のコンベアにより所定の速度（供給速度）で前段の装置４へ供給される。
【００４５】
図４のステップＳ２では、前段の装置４は、ステップＳ１で供給された郵便物から所定の厚さの郵便物を選別して搬送機２に送出する。例えば、郵便物の大きさは、はがきのサイズ（１００ｍｍ×１４８ｍｍ）からＣ４サイズ（３２４ｍｍ×２２９ｍｍ）、郵便物の厚さは（０．１５ｍｍから６ｍｍの間）である。郵便物の大きさ、厚さは、この数値に限らず、適宜変更して使用してよい。
【００４６】
図４のステップＳ３では、搬送機２は、厚さ選別された郵便物を前段の装置４から受けて、搬送面にある郵便物をゴムグリップに引っ掛けて下流側に所定の速度（搬送速度）で搬送する。また、郵便物が重なった場合、重なった上側の郵便物が搬送機２の傾斜により上流側にすべり込んで搬送機２の上流側のバッファ部８に溜まる。また、郵便物に重なった上側の郵便物は、バッファ部８での郵便物の溜まり具合により上流側にすべり込まない場合、すなわち、溜まっている郵便物により上流側にすべり込めない場合に、この郵便物の下側の郵便物に引きずられて下流側に搬送される。
【００４７】
図４のステップＳ４では、搬送機２は、下流側に搬送した郵便物を所定の速度（搬送速度）で次段の装置へ送出する。
【００４８】
ステップＳ１からステップＳ４の処理は、例えば作業者等により装置が停止されるまで続けられる。
【００４９】
一方、ステップＳ１からステップＳ４の処理を続けている間、制御部３は、以下の制御を続ける。すなわち、制御部３は、３つの光電センサ５（ＬＢ１、ＬＢ２、ＬＢ３）のオン／オフ情報に基づき、供給用コンベアの供給速度を制御する。すなわち、図５で示すように、光電センサ５（ＬＢ１、ＬＢ２、ＬＢ３）のオン／オフ情報に基づき、Ｓ３：低速、Ｓ２：中速、Ｓ１：定速（最高速）を選択し、供給速度をこの選択した速度に制御する。
【００５０】
また、制御部３は、３つの距離センサ６（ＨＳ１、ＨＳ２、ＨＳ３）の距離情報に基づき、搬送速度を制御する。すなわち、距離センサ６から、距離センサ６が測定した郵便物までの距離（Ｌ２）を受け、距離センサ６の取付位置（搬送面からの距離Ｌ１）との差分（Ｌ１−Ｌ２）すなわち、重なった郵便物の厚さを、３つの距離センサ６分算出する。そして、図６に基づき、３つの重なった郵便物の厚さ情報に応じた“重み”を選択し、各センサでの“重み”の和を、“総合重み”とする。そして、図７に基づき、“総合重み”に対応した速度を選択し、搬送機２の搬送速度をこの選択した速度に制御する。
【００５１】
このように、本発明の第２実施の形態によれば、搬送機に傾斜を持たせることにより、搬送機の上流側にバッファ機能を持たせ、供給された郵便物をこのバッファに溜める。そして、光電センサ５のオン／オフ情報に基づき、この溜めた郵便物が所定の溜り量になるように郵便物を供給する供給速度を制御する。また、距離センサの距離情報から求めた“重み”に基づき、搬送機の次段の装置への流出口での郵便物の量が所定の量になるように搬送機の搬送速度を制御する。このため、郵便物をバッファするための機器、及びこの機器を組み込む構造を必要とせずに、次段の装置への郵便物の途切れや、郵便物の過多の投入を抑制し、郵便物の搬送量を一定にして送出することができる。
【００５２】
また、複数の光電センサ５と複数の距離センサにより郵便物の量の検知を細かく行うようにしたので、郵便物の搬送量の速度制御をきめ細かく行うことができる。
【００５３】
本実施の形態では、物品の一例として郵便物を用いて説明した。しかし、この物品は、書籍、書類、文書を含め、所定の大きさを有し厚さ選別部により厚さが選別されるものであれば、郵便物に限らず何でもよい。
（第４の実施の形態）
図８は、本発明の第４の実施の形態に係る物品送り出し装置の一例を示す図である。
【００５４】
この図は、物品送り出し装置１の側面図である。前段の装置４（厚さ選別部）の側面図も示してある。本実施の形態では、物品の一例として郵便物を用いて説明する。
【００５５】
本発明の第４の実施の形態は、第３の実施の形態の物品送り出し装置１の搬送機２の替りに、第１の搬送機９と第２の搬送機１０の２つの搬送機を用い、全体の搬送路の長さを長くしたものである。主に第２の実施の形態と相違する部分について説明する。
【００５６】
本実施の形態に係る物品送り出し装置１は、第１の搬送機９と、第２の搬送機１０と、制御部３と、複数（５つ）の光電センサ５（ＬＢ１、ＬＢ２、ＬＢ３、ＬＢ４、ＬＢ５）と、複数（３つ）の距離センサ６（ＨＳ１、ＨＳ２、ＨＳ３）とにより構成される。
【００５７】
第１の搬送機９は、上流側から下流側への搬送方向へ向けて高くなる所定の傾斜（例えば、水平から３０度）を有し、搬送面に所定の間隔でゴムグリップを備えている。そして、所定の速度（供給速度）で供給された郵便物から選別した所定の厚さの郵便物の送出を前段の装置４から受ける。
第１の搬送機９は、この郵便物を第１の搬送機９の傾斜により上流側にすべらせて第１の搬送機９の上流側に溜めつつ、搬送面にある郵便物をゴムグリップに、郵便物との摩擦により引っ掛けて所定の速度（第１の搬送速度）で第２の搬送機１０へ送出する。
【００５８】
第２の搬送機１０は、上流側から下流側への搬送方向へ向けて高くなる所定の傾斜（例えば、水平から３０度）を有し、搬送面に所定の間隔でゴムグリップを備えている。
第２の搬送機１０は、第１の搬送機９から送出された郵便物を受ける。そして、この郵便物を第２の搬送機１０の傾斜により上流側にすべらせて第２の搬送機１０の上流側に溜めつつ、搬送面にある郵便物をゴムグリップに、郵便物との摩擦により引っ掛けて所定の速度（第２の搬送速度）で次段の装置へ送出する。
【００５９】
第１の搬送機９は、上流側の端部に郵便物用の第１のストッパ１３を有する。そして、郵便物に重なった上側の郵便物が第１の搬送機９の傾斜により上流側にすべり込んで第１の搬送機９の上流側に溜まる、極小点の近傍を示す第１のストッパ１３から下流側へ向かった第１のバッファ部１１を形成する。
【００６０】
第２の搬送機１０は、上流側の端部上空に、第１の搬送機９の送出口に有する郵便物を第２の搬送機１０へ送出するすべり板１４を郵便物用の第２のストッパとして使用する。そして、郵便物に重なった上側の郵便物が第２の搬送機１０の傾斜により上流側にすべり込んで溜まる、極小点の近傍を示す第２ストッパ１４から下流側へ向かった第２のバッファ部１２を形成する。
【００６１】
ＬＢ１からＬＢ３の複数の光電センサ５（遮光センサ）と、ＬＢ４からＬＢ５の複数の光電センサ５（遮光センサ）とは、それぞれ第１のバッファ部１１と第２のバッファ部１２の所定の上空に地面（地面（搬送機の床等の設定面）と平行に郵便物の搬送方向に所定の間隔を設けて設置される。そして、郵便物の遮りをそれぞれ検出する。例えば、光電センサ５の光照射部が図面の表側から裏側に向かって照射し、照射した光が光照射部に対応する光電センサ５の光受光部に達しない場合、郵便物がこの光電センサ５を遮っているとする。ＬＢ１、ＬＢ２、及びＬＢ３の各光電センサ５は、搬送面からそれぞれ２２０〜２７０ｍｍの間、１５０〜２００ｍｍの間、９５〜１４５ｍｍの間の高さに設置される。これらの光電センサ５の間隔は１００ｍｍである。また、ＬＢ４及びＬＢ５の各光電センサ５は、すべり板１４の面から６５ｍｍ、搬送面から６２ｍｍの高さにそれぞれ設置される。ＬＢ４とＬＢ５の光電センサ５の間隔は１１０ｍｍである。これらの数値は、実験等により適宜変更してよい。
【００６２】
複数の距離センサ６（ＨＳ１、ＨＳ２、ＨＳ３）は、第２の搬送機１０の郵便物の次段の装置への流出口の上空に、地面（搬送機の床等の設定面）と平行かつ郵便物の搬送方向と直交する方向に所定の間隔を設けて設置され、距離センサ６と郵便物との距離をそれぞれ検出する。各距離センサ６（ＨＳ１、ＨＳ２、ＨＳ３）は、搬送面から１８０ｍｍの高さに、搬送面の両サイドと中央にそれぞれ設定される。これらの数値は、実験等により適宜変更してよい。
【００６３】
制御部３は、複数の光電センサ５（ＬＢ１、ＬＢ２、及びＬＢ３）のオン／オフ情報に基づき、第１の搬送機９上に溜められた郵便物が所定の溜り量になるように、郵便物を供給する供給速度を制御する。また、制御部３は、複数の光電センサ５（ＬＢ４、及びＬＢ５）のオン／オフ情報に基づき、第２の搬送機１０上に溜められた郵便物が所定の溜り量になるように、郵便物を搬送する第１の搬送機９の搬送速度を制御する。更に、制御部３は、複数の距離センサ６の距離情報に基づき、第２の搬送機１０の次段の装置への流出口での郵便物の量が所定の量になるように郵便物を搬送する第２の搬送速度を制御する。制御部３は、供給速度、第１の搬送速度及び第２の搬送速度を、通常使用する最高速を示す定速と、定速よりも遅い複数の速度に変化させる。
【００６４】
次に、本実施の形態の物品送り出し装置１の動作を、図５、図６、図７、図９、及び図１０を使用して説明する。
【００６５】
図９は、本発明の第３の実施の形態に係る物品送り出し装置の動作の一例を示すフローチャートである。
【００６６】
図１０は、光電センサ５（ＬＢ４、ＬＢ５）のオン／オフ情報に第１の搬送機９の第１の搬送速度を対応させた図である。０（オフ）は、光電センサ５が遮光していない場合を示し、１（オン）は、光電センサ５が遮光している場合を示す。この図は、全てのセンサがオンの場合、第１の搬送機９の停止、一つのセンサがオンの場合、Ｓ２：中速（例えば２ｍ／秒）、全てのセンサがオフの場合、Ｓ１：定速（例えば３ｍ／秒）を選択することを示している。センサ情報に対応する速度の決め方は、これに限らず、次段の装置への、郵便物の途切れや郵便物の過多の投入が無く、郵便物の搬送量を一定にして送出できるような溜り量（所定の溜り量）になるように、実験等により適宜変更してよい。
【００６７】
図９のステップＡ１では、郵便物が、郵便物供給用のコンベアにより所定の速度（供給速度）で前段の装置４へ供給される。
【００６８】
図９のステップＡ２では、前段の装置４は、ステップＡ１で供給された郵便物から所定の厚さの郵便物を選別して第１の搬送機９に送出する。
【００６９】
図９のステップＡ３では、第１の搬送機９は、厚さ選別された郵便物を前段の装置４から受けて、搬送面にある郵便物をゴムグリップに引っ掛けて下流側に所定の速度（第１の搬送速度）で搬送する。また、郵便物が重なった場合、重なった上側の郵便物が第１の搬送機９の傾斜により上流側にすべり込んで第１の搬送機９の上流側の第１のバッファ部１１に溜まる。また、郵便物に重なった上側の郵便物は、第１のバッファ部１１での郵便物の溜まり具合により上流側にすべり込まない場合、すなわち、溜まっている郵便物により上流側にすべり込めない場合に、この郵便物の下側の郵便物に引きずられて下流側に搬送される。
【００７０】
図９のステップＡ４では、第２の搬送機１０は、第１の搬送機９が送出した郵便物を、第１の搬送機９の送出口に有するすべり板１４を介して受け、搬送面にある郵便物をゴムグリップに引っ掛けて下流側に所定の速度（第２の搬送速度）で搬送する。また、郵便物が重なった場合、重なった上側の郵便物が第２の搬送機１０の傾斜により上流側にすべり込んで第２の搬送機１０の上流側の第２のバッファ部１２に溜まる。また、郵便物に重なった上側の郵便物は、第２のバッファ部１２での郵便物の溜まり具合により上流側にすべり込まない場合、すなわち、溜まっている郵便物により上流側にすべり込めない場合に、この郵便物の下側の郵便物に引きずられて下流側に搬送される。
【００７１】
図９のステップＡ５では、第２の搬送機１０は、下流側に搬送した郵便物を所定の速度（第２の搬送速度）で次段の装置へ送出する。
【００７２】
ステップＡ１からステップＡ５の処理は、例えば作業者等により装置が停止されるまで続けられる。
【００７３】
一方、ステップＡ１からステップＡ５の処理を続けている間、制御部３は、以下の制御を続ける。すなわち、制御部３は、３つの光電センサ５（ＬＢ１、ＬＢ２、ＬＢ３）のオン／オフ情報に基づき、供給用コンベアの供給速度を制御する。すなわち、図５で示すように、光電センサ５（ＬＢ１、ＬＢ２、ＬＢ３）のオン／オフ情報に基づき、Ｓ３：低速、Ｓ２：中速、又はＳ１：定速（最高速）を選択し、供給速度をこの選択した速度に制御する。
【００７４】
また、制御部３は、２つの光電センサ５（ＬＢ４、ＬＢ５）のオン／オフ情報に基づき、第１の搬送機９の第１の搬送速度を制御する。すなわち、図１０で示すように、光電センサ５（ＬＢ４、ＬＢ５）のオン／オフ情報に基づき選択した速度に、第１の搬送機９の第１の搬送速度を制御する。
【００７５】
更に、制御部３は、３つの距離センサ６（ＨＳ１、ＨＳ２、ＨＳ３）の距離情報に基づき、第２の搬送速度を制御する。すなわち、距離センサ６から、距離センサ６が測定した郵便物までの距離（Ｌ２）を受け、距離センサ６の取付位置（搬送面からの距離Ｌ１）との差分（Ｌ１−Ｌ２）すなわち、重なった郵便物の厚さを、３つの距離センサ６分算出する。そして、図６に基づき、３つの重なった郵便物の厚さ情報に応じた“重み”を選択し、各センサでの“重み”の和を、“総合重み”とする。そして、図７に基づき、“総合重み”に対応した速度を選択し、第２の搬送機１０の搬送速度をこの選択した速度に制御する。
【００７６】
このように、本発明の第４の実施の形態によれば、第３の実施の形態で取得した効果に加えて、次の効果がある。すなわち、第３の実施の形態の物品送り出し装置の搬送機の替りに、第１の搬送機と第２の搬送機の２つの搬送機を用い、全体の搬送路の長さを長くしたので、より多くの郵便物を搬送路内に留められる。このため、次段の装置への供給をより安定して行うことができる。
【００７７】
また、第３の実施の形態よりも多くの光電センサを使用したので、第３の実施の形態に比べ郵便物の量の検知を更に細かく行える。このため、よりきめ細かな郵便物の搬送量の速度制御を行うことができる。
【００７８】
本実施の形態では、物品の一例として郵便物を用いて説明した。しかし、この物品は、書籍、書類、文書を含め、所定の大きさを有し厚さ選別部により厚さが選別されるものであれば、郵便物に限らず何でもよい。
【００７９】
また、  本実施の形態では、傾斜を有する第１の搬送機と第２の搬送機の二つ搬送機を用い、第２の搬送機の第２のバッファに溜められた郵便物が所定の溜り量になるように、物品を搬送する第１の搬送機の搬送速度を制御する。また、第１の搬送機上に溜められた郵便物が所定の溜り量になるように、郵便物を供給する供給速度を制御する、として説明した。しかし、これに限らず、次のようにしてもよい。すなわち、搬送路上に隣接する極小点を複数有する搬送機において、極小点間の区間の搬送速度を、搬送路上、より下流側の極小点の近傍に滞留する物品が所定量になるように制御してもよい。また、供給速度を、極小点のうち搬送路上最も上流のものの近傍に滞留する物品が所定量になるように制御してもよい。
【００８０】
上記の実施形態の一部または全部は、以下の付記のように記載され得るが、以下には限られない。
（付記１）
進行方向に沿った高さの変化が少なくとも１つの極小点を有するように形成された搬送路を有し、所定の供給速度でこの搬送路に供給された物品を所定の搬送速度で送出する搬送機と、
前記極小点近傍に滞留する前記物品が所定量になるように前記供給速度を制御し、前記搬送路上前記極小点の下流側の所定の箇所を通過する前記物品が所定量になるように前記搬送速度を制御する制御部と、
を備えたことを特徴とする物品送り出し装置。
（付記２）
前記搬送機は、上流側から下流側へ搬送方向が高くなる所定の傾斜を有し、最上流の端部に前記極小点を有し、所定の供給速度で供給された所定の大きさの物品から選別した所定の厚さの前記物品の送出を前段の装置から受け、この物品を前記傾斜により上流側にすべらせて前記極小点の近傍を示す前記搬送機の上流側に溜めつつ、前記物品を所定の搬送速度で前記次段の装置へ送出し、
前記制御部は、前記搬送機上に溜めた前記物品が所定の溜り量になるように前記物品を供給する前記供給速度を制御し、前記搬送機の前記次段の装置への流出口での前記物品の量が所定の量になるように前記搬送機の前記搬送速度を制御する、
ことを特徴とする付記１記載の物品送り出し装置。
（付記３）
前記搬送機は、搬送面に所定の間隔でゴムグリップを備え、前記搬送面にある前記物品をこのグリップに引っ掛けて下流側に搬送し、上流側の端部に前記物品用のストッパを有し、前記物品に重なった上側の物品が前記傾斜により上流側にすべり込んで溜まる前記ストッパから下流側へ向かったバッファ部を形成する、
ことを特徴とする付記２記載の物品送り出し装置。
（付記４）
前記物品に重なった上側の前記物品は、前記バッファ部での前記物品の溜まり具合により上流側にすべり込まない場合に、この物品の下側の物品に引きずられて下流側に搬送される、
ことを特徴とする付記３記載の物品送り出し装置。
（付記５）
前記バッファ部の所定の上空に地面と水平に前記物品の搬送方向に所定の間隔を設けて設置され、前記物品の遮りをそれぞれ検出する複数の光電センサを更に設け、
前記制御部は、前記複数の光電センサのオン／オフ情報に基づき、前記所定の溜り量になるように前記供給速度を制御する、
ことを特徴とする付記３又は４記載の物品送り出し装置。
（付記６）
前記搬送機の前記物品の前記次段の装置への流出口の上空に、前記物品の搬送方向と直交する方向に所定の間隔を設けて設置され、物品からの距離をそれぞれ検出する複数の距離センサを更に設け、
前記制御部は、前記複数の距離センサの距離情報に基づき、前記物品の量が前記所定の量になるように前記搬送速度を制御する、
ことを特徴とする付記３、４又は５記載の物品送り出し装置。
（付記７）
前記制御部は、前記供給速度、前記搬送速度を通常使用する最高速を示す定速と、定速よりも遅い複数の速度に変化させる、
ことを特徴とする付記１から６のいずれか一項に記載の物品送り出し装置。
（付記８）
前記搬送速度が、前記搬送路上隣接する２つの前記極小点の間の区間ごとに設定され、隣接する２つの極小点のうち搬送路上、より下流側のものの近傍に滞留する前記物品が所定量になるように当該区間の前記搬送速度が制御され、
前記供給速度は、前記極小点のうち搬送路上最も上流のものの近傍に滞留する前記物品が所定量になるように制御されることを特徴とする付記１記載の物品送り出し装置。
（付記９）
前記搬送機は、
上流側から下流側へ搬送方向が高くなる所定の傾斜を有し、最上流の端部に第１の極小点を有し、所定の供給速度で供給された所定の大きさの物品から選別した所定の厚さの前記物品の送出を前記前段の装置から受け、この物品を前記傾斜により上流側にすべらせて前記第１の極小点の近傍を示す自身の搬送機の上流側に溜めつつ、前記物品を所定の速度（第１の搬送速度）で送出する第１の搬送機と、
上流側から下流側へ搬送方向が高くなる所定の傾斜を有し、最上流の端部に第２の極小点を有し、前記第１の搬送機から送出された前記物品を受け、この物品を前記傾斜により上流側にすべらせて前記第２の極小点の近傍を示す自身の搬送機の上流側に溜めつつ、前記次段の装置へ所定の速度（第２の搬送速度）で送出する第２の搬送機と、を有し、
前記制御部は、前記第１の搬送機上に溜められた前記物品が所定の溜り量になるように前記物品を供給する前記供給速度を制御し、
前記第２の搬送機上に溜められた前記物品が所定の溜り量になるように前記第１の搬送機の前記第１の搬送速度を制御し、
前記第２の搬送機の前記次段の装置への流出口での前記物品の量が所定の量になるように前記第２の搬送機の前記第２の搬送速度を制御する、
ことを特徴とする付記８記載の物品送り出し装置。
（付記１０）
前記第１の搬送機及び第２の搬送機は、搬送面に所定の間隔でゴムグリップを備え、前記搬送面にある前記物品をこのグリップに引っ掛けて下流側に搬送し、
前記第１の搬送機は、上流側の端部に前記物品用の第１のストッパを有し、前記物品に重なった上側の物品が前記傾斜により上流側にすべり込んで溜まる前記第１のストッパから下流側へ向かった第１のバッファ部を形成し、
前記第２の搬送機は、上流側の端部上空に、前記第１の搬送機の送出口に有する前記物品を第２の搬送機へ送出するすべり板を前記物品用の第２のストッパとして使用し、前記物品に重なった上側の物品が前記傾斜により上流側にすべり込んで溜まる前記第２ストッパから下流側へ向かった第２のバッファ部を形成する、
ことを特徴とする付記９記載の物品送り出し装置。
（付記１１）
前記物品に重なった上側の前記物品は、前記第１のバッファ部、又は前記第２のバッファ部での前記物品の溜まり具合により上流側にすべり込まない場合に、この物品の下側の物品に引きずられて下流側に搬送される、
ことを特徴とする付記１０記載の物品送り出し装置。
（付記１２）
前記第１のバッファ部、及び前記第２のバッファ部のそれぞれの所定の上空に地面と水平に前記物品の搬送方向に所定の間隔を設けて設置され、物品の遮りをそれぞれ検出する複数の光電センサを更に設け、
前記制御部は、前記複数の光電センサのオン／オフ情報に基づき、前記所定の溜り量になるように前記供給速度、又は前記第１の搬送速度を制御する、
ことを特徴とする付記１０又は１１記載の物品送り出し装置。
（付記１３）
前記第２の搬送機の前記物品の前記次段の装置への流出口の上空に、前記物品の搬送方向と直交する方向に所定の間隔を設けて設置され、物品からの距離をそれぞれ検出する複数の距離センサを更に設け、
前記制御部は、前記複数の距離センサの距離情報に基づき、前記物品の量が前記所定の量になるように前記第２の搬送速度を制御する、
ことを特徴とする付記１０、１１又は１２記載の物品送り出し装置。
（付記１４）
前記制御部は、前記供給速度、前記第１の搬送速度及び前記第２の搬送速度を通常使用する最高速を示す定速と、定速よりも遅い複数の速度に変化させる、
ことを特徴とする付記９から１３のいずれか一項に記載の物品送り出し装置。
（付記１５）
進行方向に沿った高さの変化が少なくとも１つの極小点を有するように形成された搬送路を有する搬送機により、所定の供給速度でこの搬送路に供給された物品を所定の搬送速度で送出し、
制御部により、前記極小点近傍に滞留する前記物品が所定量になるように前記供給速度を制御し、前記搬送路上前記極小点の下流側の所定の箇所を通過する前記物品が所定量になるように前記搬送速度を制御する、
ことを特徴とする物品送り出し方法。
（付記１６）
上流側から下流側へ搬送方向が高くなる所定の傾斜を有し、最上流の端部に前記極小点を有する前記搬送機により、所定の供給速度で供給された所定の大きさの物品から選別した所定の厚さの前記物品の送出を前段の装置から受け、この物品を前記傾斜により上流側にすべらせて前記極小点の近傍を示す前記搬送機の上流側に溜めつつ、前記物品を所定の搬送速度で次段の装置へ送出し、
前記制御部は、前記搬送機上に溜めた前記物品が所定の溜り量になるように前記物品を供給する前記供給速度を制御し、前記搬送機の前記次段の装置への流出口での前記物品の量が所定の量になるように前記搬送機の前記搬送速度を制御する、
ことを特徴とする付記１５記載の物品送り出し方法。
（付記１７）
前記制御部は、前記供給速度、及び前記搬送速度を通常使用する最高速を示す定速と、定速よりも遅い複数の速度に変化させる、
ことを特徴とする付記１６記載の物品送り出し方法。
（付記１８）
前記搬送速度が、前記搬送路上隣接する２つの前記極小点の間の区間ごとに設定され、隣接する２つの極小点のうち搬送路上、より下流側のものの近傍に滞留する前記物品が所定量になるように当該区間の前記搬送速度が制御され、
前記供給速度は、前記極小点のうち搬送路上最も上流のものの近傍に滞留する前記物品が所定量になるように制御されることを特徴とする付記１５記載の物品送り出し方法。
（付記１９）
前記搬送機は、第１の搬送機と、第１の搬送機を有し、
上流側から下流側へ搬送方向が高くなる所定の傾斜を有し、最上流の端部に第１の極小点を有する前記第１の搬送機により、所定の供給速度で供給された所定の大きさの物品から選別した所定の厚さの前記物品の送出を前段の装置から受け、この物品を前記傾斜により上流側にすべらせて前記第１の極小点の近傍を示す自身の搬送機の上流側に溜めつつ、前記物品を所定の速度（第１の搬送速度）で送出し、
上流側から下流側へ搬送方向が高くなる所定の傾斜を有し、最上流の端部に第２の極小点を有する第２の搬送機により、前記第１の搬送機から送出された前記物品を受け、この物品を前記傾斜により上流側にすべらせて前記第２の極小点の近傍を示す自身の搬送機の上流側に溜めつつ、次段の装置へ所定の速度（第２の搬送速度）で送出し、
前記制御部により、前記第１の搬送機上に溜められた前記物品が所定の溜り量になるように前記物品を供給する前記供給速度を制御し、前記第２の搬送機上に溜められた前記物品が所定の溜り量になるように前記第１の搬送機の前記第１の搬送速度を制御し、前記第２の搬送機の前記次段の装置への流出口での前記物品の量が所定の量になるように前記第２の搬送機の前記第２の搬送速度を制御する、
ことを特徴とする付記１８記載の物品送り出し方法。
（付記２０）
前記制御部は、前記供給速度、前記第１の搬送速度及び前記第２の搬送速度を通常使用する最高速を示す定速と、定速よりも遅い複数の速度に変化させる、
ことを特徴とする付記５記載の物品送り出し方法。
【符号の説明】
【００８１】
１    物品送り出し装置
２    搬送機
３    制御部
４    前段の装置、厚さ選別部
５    光電センサ
６    距離センサ
７    ストッパ
８    バッファ部
９    第１の搬送機
１０    第２の搬送機
１１    第１のバッファ部
１２    第２のバッファ部
１３    第１のストッパ
１４    すべり板
【図１】
2016175037.tif 000003
【図２】
2016175037.tif 000004
【図３】
2016175037.tif 000005
【図４】
2016175037.tif 000006
【図５】
2016175037.tif 000007
【図６】
2016175037.tif 000008
【図７】
2016175037.tif 000009
【図８】
2016175037.tif 000010
【図９】
2016175037.tif 000011
【図１０】
2016175037.tif 000012